(57)【要約】【課題】空気吹出口から吹き出される空気が真下の方向となるようにした天井埋込型空気調和機の室内機を提供する。【解決手段】第１熱交換器１５Ａと第２熱交換器１５ＢがＶ字形状に組み込まれ、第１熱交換器１５Ａは第１空気吸込口１２ａの空気を吸い込むよう配置され、第２熱交換器１５Ｂは第２空気吸込口１２ｂの空気を吸い込むよう配置されている。クロスフローファン１４は、外周部１４ｂにおける空気吹出口１１ｃに臨む側の接線Ａが空気吹出１１ｃ口のほぼ中央を垂直方向に通過するように且つ第２熱交換器１５Ｂの傾斜方向に中心が位置するように配置されている。【選択図】図１
2018165589.tif 000002
【特許請求の範囲】
【請求項１】
天井板に取り付けられる筐体と、該筐体の下面を閉じる下面パネルに形成された空気吸込口及び空気吹出口と、前記筐体内に形成される前記空気吸込口から前記空気吹出口に至る空気流通路と、該空気流通路に配置された円柱形状のクロスフローファンと、該クロスフローファンに流入する空気を冷媒と熱交換するよう前記空気流通路内に配置された熱交換器と、を備えた天井埋込型空気調和機の室内機において、
前記熱交換器は、下部がＶ字形状に組み立てられた第１熱交換器と第２熱交換器からなり、
前記空気吸込口は、前記第１熱交換器に流入する空気を吸い込む第１空気吸込口と、前記第２熱交換器に流入する空気を吸い込む第２空気吸込口からなり、
前記クロスフローファンは、前記クロスフローファンの側面における前記空気吹出口に臨む側で且つ前記空気吹出口の開口面に直交する接線が前記空気吹出口の中央を垂直方向に通過するように、且つ前記クロスフローファンの中心軸が前記第２熱交換器の傾斜方向となる位置に配置されている、
ことを特徴とする天井埋込型空気調和機の室内機。
【請求項２】
請求項１に記載の天井埋込型空気調和機の室内機において、
前記クロスフローファンから吹き出される空気を前記空気吹出口に垂直方向にガイドするリアガイダが配置されていることを特徴とする天井埋込型空気調和機の室内機。
【請求項３】
請求項１又は２に記載の天井埋込型空気調和機の室内機において、
前記第２吸込口から前記第２熱交換器に至る経路と前記空気吹出口とを分離する仕切板が配置され、該仕切板は前記空気吹出口の側がクロスフローファンの側よりも広がるように配置されていることを特徴とする天井埋込型空気調和機の室内機。
【請求項４】
請求項１、２又は３に記載の天井埋込型空気調和機の室内機において、
前記第１空気吸込口と前記第２空気吸込口の開口面積は、前記第１熱交換器と前記第２熱交換器の熱交換容量の比率に対応した大きさに設定されていることを特徴とする天井埋込型空気調和機の室内機。
【発明の詳細な説明】
【技術分野】
【０００１】
本発明は、室内の天井板に取り付けられる天井埋込型空気調和機の室内機に関する。
【背景技術】
【０００２】
天井埋込型空気調和機の室内機は、例えば建造物の１階の天井板と２階の床下との間のスペース、あるいは２階の天井板と屋根裏との間のスペースに取り付けられるが、近年の建造物は室内空間の天井高さを大きくする傾向がある。このため上記したスペースの上下方向長さが短くなっており、これに対応して室内機もその高さを低くしなければならない。また、近年の建造物では空調の対象となる室内空間が広くなっているので、室内機には大きな熱交換容量が要求される。このように、天井埋込型空気調和機の室内機には、小型化と同時に大容量化が求められている。
【０００３】
そこで、従来の天井埋込型空気調和機の室内機では、例えば２個の熱交換器を使用して熱交換容量の大容量化の要求に応えると同時に、その２個の熱交換器をＶ字形状に組み立てて筐体内に配置することで室内機の縦方向サイズ及び横方向サイズを小さくすることが行われている。
【０００４】
図２はこのような要求に応えた従来の天井埋込型空気調和機の室内機２０の概略構成を示す図（例えば、特許文献１、２参照）である。２１は天井板３０に埋め込む形で取り付けられる筐体であり、その筐体２１の下面は、第１空気吸込口２２ａ、第２空気吸込口２２ｂ、空気吹出口２２ｃが形成された下面パネル２２によって閉じられている。そして、筐体２１内の第１空気吸込口２２ａ及び第２空気吸込口２２ｂから空気吹出口２２ｃに至る通路は、空気流通路２３となっている。なお、図２では、第１空気吸込口２２ａ、第２空気吸込口２２ｂ、空気吹出口２２ｃに取り付けられるグリルやフィルタは省略している。
【０００５】
その空気流通路２３には、空気流を生成するためのクロスフローファン２４と、その空気流通路２３を通過する空気流を冷媒と熱交換する第１熱交換器２５Ａ及び第２熱交換器２５Ｂが配置されている。
【０００６】
２６はドレンパンであり、第１熱交換器２５Ａ及び第２熱交換器２５Ｂに生じたドレン水を集めるよう第１熱交換器２５Ａ及び第２熱交換器２５ＢのＶ字形状部の下方に配置されている。２７は第２空気吸込口２２ｂと空気吹出口２２ｃを分離する仕切板である。
【０００７】
この室内機２０では、第１空気吸込口２２ａから吸い込まれた室内の空気が第１熱交換器２５Ａで冷媒と熱交換され、第２空気吸込口２２ｂから吸い込まれた室内の空気が第２熱交換器２５Ｂで熱交換され、それぞれクロスフローファン２４によって、空気吹出口２２ｃから室内に吹き出される。
【先行技術文献】
【特許文献】
【０００８】
【特許文献１】特開平９−１４５１４３号公報
【特許文献２】特開２０００−２４０９６５号公報
【発明の概要】
【発明が解決しようとする課題】
【０００９】
ところが、図２の室内機２０は、クロスフローファン２４が第１熱交換器２４Ａと第２熱交換器２４Ｂの間に配置されている。このため、熱交換容量の大容量化に合わせてこのクロスフローファンを大型化すると室内機サイズが大きくなる問題がある。
【００１０】
また、このクロスフローファン２４から吹き出される空気は、そのクロスフローファン２４の外形の接線Ｂの方向となるが、この接線Ｂの方向は空気吹出口２２ｃに対して傾斜した方向である。したがって、空気吹出口２２ｃから吹き出される空気は斜め外方向になり、真下の方向には吹き出されない。
【００１１】
本発明の目的は、熱交換容量やクロスフローファンを大きくしながら室内機サイズを小さくしまた、空気吹出口から吹き出される空気が真下の方向となるようにした天井埋込型空気調和機の室内機を提供することである。
【課題を解決するための手段】
【００１２】
上記目的を達成するために、請求項１にかかる発明は、天井板に取り付けられる筐体と、該筐体の下面を閉じる下面パネルに形成された空気吸込口及び空気吹出口と、前記筐体内に形成される前記空気吸込口から前記空気吹出口に至る空気流通路と、該空気流通路に配置された円柱形状のクロスフローファンと、該クロスフローファンに流入する空気を冷媒と熱交換するよう前記空気流通路内に配置された熱交換器と、を備えた天井埋込型空気調和機の室内機において、前記熱交換器は、下部がＶ字形状に組み立てられた第１熱交換器と第２熱交換器からなり、前記空気吸込口は、前記第１熱交換器に流入する空気を吸い込む第１空気吸込口と、前記第２熱交換器に流入する空気を吸い込む第２空気吸込口からなり、前記クロスフローファンは、前記クロスフローファンの側面における前記空気吹出口に臨む側で且つ前記空気吹出口の開口面に直交する接線が前記空気吹出口の中央を垂直方向に通過するように、且つ前記クロスフローファンの中心軸が前記第２熱交換器の傾斜方向となる位置に配置されている、ことを特徴とする。
請求項２にかかる発明は、請求項１に記載の天井埋込型空気調和機の室内機において、前記クロスフローファンから吹き出される空気を前記空気吹出口に垂直方向にガイドするリアガイダが配置されていることを特徴とする。
請求項３にかかる発明は、請求項１又は２に記載の天井埋込型空気調和機の室内機において、前記第２吸込口から前記第２熱交換器に至る経路と前記空気吹出口とを分離する仕切板が配置され、該仕切板は前記空気吹出口の側がクロスフローファンの側よりも広がるように配置されていることを特徴とする。
請求項４にかかる発明は、請求項１、２又は３に記載の天井埋込型空気調和機の室内機において、前記第１空気吸込口と前記第２空気吸込口の開口面積は、前記第１熱交換器と前記第２熱交換器の熱交換容量の比率に対応した大きさに設定されていることを特徴とする。
【発明の効果】
【００１３】
本発明によれば、クロスフローファンが、そのクロスフローファンの側面における空気吹出口に臨む側で且つ空気吹出口の開口面に直交する接線がその空気吹出口の中央を垂直方向に通過するように配置されているので、クロスフローファンから吹き出される空気を、空気吹出口からほぼ真下の方向に吹き出すことができる。また、第１熱交換器と第２熱交換器はＶ字形状に組み立てられ、クロスフローファンはその中心軸が第２熱交換器の傾斜方向となる位置に配置されているので、熱交換容量やクロスフローファンを大きくしながら室内機サイズを小さくできる。
【図面の簡単な説明】
【００１４】
【図１】本発明の１つの実施例の天井埋込型空気調和機の室内機の概略構成図である。
【図２】従来の天井埋込型空気調和機の室内機の概略構成図である。
【発明を実施するための形態】
【００１５】
図１に本実施例の天井埋込型空気調和機の室内機１０の概略構成を示す。１１は天井板３０に埋め込む形で取り付けられる直方体形状の筐体であり、その筐体１１の下面は、第１空気吸込口１２ａ、第２空気吸込口１２ｂ、空気吹出口１２ｃが形成された下面パネル１２によって閉じられている。なお、第１空気吸込口１２ａ、第２空気吸込口１２ｂ、空気吹出口１２ｃに取り付けられるグリルやフィルタは省略している。そして、筐体１１内には、第１空気吸込口１２ａ及び第２空気吸込口１２ｂから空気吹出口１２ｃに至るように、空気流通路１３が形成されている。
【００１６】
空気流通路１３には、空気流を生成するためのクロスフローファン１４と、その空気流通路１３を通過する空気流を冷媒と熱交換するようにその空気流通路１３内にＶ字形状となるよう下部が結合された第１熱交換器１５Ａ及び第２熱交換器１５Ｂが配置されている。第１熱交換器１５Ａ及び第２熱交換器１５Ｂは方形の板形状である。
【００１７】
１６はドレンパンであり、第１熱交換器１５Ａ及び第２熱交換器１５Ｂに生じたドレン水を集めるよう第１熱交換器１５Ａ及び第２熱交換器１５Ｂの下方に配置されている。
【００１８】
１７は第２空気吸込口１２ｂから第２熱交換器２Ｂに至る経路とクロスフローファン１４から空気吹出口１２ｃに至る経路とを分離してそれらの間のショートカットを防止するための仕切板であり、空気吹出口１２ｃの側がクロスフローファン１４の側よりも広がるように配置されている。
【００１９】
１８は筐体１１の天板１１ａと筐体１１の左側面１１ｂの内側に配置されたリアガイダであり、上端部１８ａはクロスフローファン１４の中心１４ａの真上か又はそれよりも第１熱交換器１５Ａ側の方向に突出し、内側下端部１８ｂは空気吹出口１１ｃの開口面１１ｃ１に対して垂直になっている。
【００２０】
第１熱交換器１５Ａは第１空気吸込口１２ａから吸い込まれた空気が流入するように配置され、筐体１１の下面パネル１２から天板１１ａの方向に向かって４５度以上に傾斜している。また、第２熱交換器１５Ｂは第２空気吸込口１２ｂから吸い込まれた空気が仕切板１７でガイドされて流入するように配置され、前記第１熱交換器と交差する方向に下面パネル１２から天板１１ａの方向に向かって４５度以上に傾斜している。この第２熱交換器１５Ｂの傾斜方向はクロスフローファン１４の中心軸１４ａの方向である。そして、それらの第１熱交換器１５Ａと第２熱交換器１５Ｂの下部は、Ｖ字形状に組み立てられてドレンパン６の上方に位置している。
【００２１】
第１熱交換器１５Ａ及び第２熱交換器１５Ｂを上記のような４５度以上の角度でＶ字形状に組み立てることにより、それらの熱交換器１５Ａ，１５Ｂからドレン水が第１空気吸込口１２ａや第２空気吸込口１２ｂに向けて垂れ落ちることを防止できる（４５度未満では垂れ落ちる）ので、ドレンパン１６の大きさを第１熱交換器１５Ａ及び第２熱交換器１５Ｂが結合された下部を覆う程度に小さく設定できるため、第１空気吸込口１２ａや第２空気吸込口１２ｂを大きくすることができる。
【００２２】
第１熱交換器１５Ａの熱交換容量は、第２熱交換器１５Ｂの熱交換容量に対して、第１空気吸込口１２ａの横方向長さＬ１と第２空気吸込口１２ｂの横方向長さＬ２の比率に応じて設定されている。第１空気吸込口１２ａと第２空気吸込口１２ｂの開口形状は方形であり、奥行（図１に紙面方向）の長さは同じであるので、結局、第１熱交換器１５Ａと第２熱交換器１５Ｂの熱交換容量の利率は、第１空気吸込口１２ａと第２空気吸込口１２ｂの開口面積の比率に対応していることになる。
【００２３】
クロスフローファン１４は、円柱形状をしており、その中心軸１４ａが第１熱交換器１５Ａや第２熱交換器１５Ｂの奥行方法と平行となるように、且つその中心軸１４ａが第２熱交換器１５Ｂの傾斜方向となる位置で、且つその側面１４ｂにおける空気吹出口１２ｃに臨む側で且つ空気吹出口１２ｃの開口面１２ｃ１に直交する接線Ａが空気吹出口１２ｃの中央を垂直方向に通過する位置に配置さている。したがって、クロスフローファン１４から空気吹出口１２ｃの方向に吹き出される空気は、リアガイダ１８の内側下端部１８ｂが空気吹出１２ｃの開口面１２ｃ１や天井板３０に対して垂直であることと相まって、真下の方向となる。
【００２４】
このとき、第２吸込口１２ｂと空気吹出口１２ｃを分離する仕切板１７は、空気吹出口１２ｃの上部よりも空気吹出口１２ｃの開口面１２ｃ１の側が広くなるように形成されているので、仕切板１７が吹出口１２ｃから吹き出される空気の邪魔になることはない。以上から、クロスフローファン１４から吹き出される空気は、空気吹出口１２ｃにほぼ垂直に向かう方向となる。つまり、熱交換済みの空気は空気吹出口１２ｃからはほぼ真下の方向に吹き出される。
【００２５】
熱交換容量の大容量化によって熱交換器やクロスフローファンが大型化する傾向にあるが、筐体は小さくしたいという要望がある。本実施例では、熱交換容量の大容量化は第１熱交換器１５Ａと第２熱交換器１５Ｂのように２個の熱交換器を使用することで実現し、筐体の小型化はその第１熱交換器１５Ａと第２熱交換器１５Ｂの組み立てをＶ字形状にすることで実現している。
【００２６】
また、クロスフローファン１４の大型化は、第１熱交換器１５Ａと第２熱交換器１５Ｂの間ではなく、そのクロスフローファン１４の中心軸１４ａが第２熱交換器１５Ｂの傾斜方向になるように配置することで実現している。
【符号の説明】
【００２７】
１０：室内機、１１：筐体、１１ａ：天板、１１ｂ：左側面１２：下面パネル、１２ａ：第１空気吸込口、１２ｂ：第２空気吸込口、１２ｃ：空気吹出口、１３：空気流通路、１４：クロスフローファン、１４ａ：中心軸、１４ｂ：外周、１４ｂ１：一部、１５Ａ：第１熱交換器、１５Ａ１：上端、１５Ａ２：下面、１５Ｂ：第２熱交換器、１５Ｂ１：上端、１６：ドレンパン、１７：仕切板、１８：リアガイダ、１８ａ：上端部、１８ｂ：内側下端部
２０：室内機、２１：筐体、２２：下面パネル、２２ａ：第１空気吸込口、２２ｂ：第２空気吸込口、２２ｃ：空気吹出口、２３：空気流通路、２４：クロスフローファン、２５Ａ：第１熱交換器、２５Ｂ：第２熱交換器、２６：ドレンパン、２７：仕切板
３０：天井板
【図１】
2018165589.tif 000003
【図２】
2018165589.tif 000004